(57)【要約】      （修正有）【課題】給水タンク内に注入する吸水口を、滴下口とは別に、給水タンクの上部に設けてタンクへの水の注入を容易にした加湿器を提供する。【解決手段】水槽及びこの水槽の水を蒸発させる加湿手段を備えた本体と、本体に着脱自在に装着して水槽に水を滴下する給水タンクと、滴下口から水の滴下を制御して水槽内の水位を一定に保持する水位制御手段と、を含み、給水タンクは、上部に外気と漣通した給水口を備え、水位制御手段は、滴下口に設けて、スプリングの弾発力により常時滴下口を閉成する弁体と、中央部を枢支して一端に浮き部、他端に押圧棒を備え水槽内の水位の変位に連動してシーソー運動するフロートと、から構成し、押圧棒は、弁体から延びた弁桿の下端面に対峙させ、フロートの上下動に連動して弁桿を介して弁体を移動して滴下口を開閉する。【選択図】図１
0003110210.tif 000002
【実用新案登録請求の範囲】
【請求項１】
水槽及びこの水槽の水を蒸発させる加湿手段を備えた本体と、該本体に着脱自在に装着して前記水槽に水を補給する給水タンクと、該給水タンクからの水の補給を制御して水槽内の水位を一定に保持する水位制御手段と、前記加湿手段により蒸発された蒸気を外気に噴出させる電動ファンと、を含む加湿器において、
前記給水タンクの上部に外気と漣通した給水口を備え、一方前記水位制御手段は、前記給水タンクの滴下口を開閉する弁体と、該弁体が常時滴下口を閉じる方向に付勢されたスプリングと、前記弁体から垂下され、滴下口より下部で揺動自在に枢支された弁桿と、一端に浮き部、他端に前記弁桿を移動させる押圧棒を備え、中央部を枢支して水槽内の水位の変動によって枢支部を中心に揺動するフロートと、から構成し、
該フロートの揺動に連動して押圧棒が揺動され、該押圧棒の揺動により前記弁桿を介して弁体を移動して前記滴下口を開閉することを特徴とする加湿器。
【請求項２】
前記押圧棒は、弁桿の下端面の端縁部に対峙させ、水槽の水位下降時にフロートの枢支部を中心に円弧状に上動して弁桿を斜め下方から斜め上方に向かって押圧して、該弁桿を揺動させることにより弁体を移動させて滴下口を開口するようにしてことを特徴とする請求項１に記載の加湿器。
【考案の詳細な説明】
【技術分野】
【０００１】  本考案は、超音波振動やヒータ加熱により水を霧化し、主に室内の湿度を調整する加湿器に係り、特に霧化用の水を貯める水槽に給水タンクから補給する際、水槽内の水位を所定水位に保つための水位制御手段の改良に関する。
【背景技術】
【０００２】  従来から知られているこの種の加湿器は、密閉構造の給水タンク下部の滴下口から水槽に補給している。実際には水槽の水位が下がると滴下口が大気にさらされて、空気がこの滴下口から給水タンク内に入り、その結果として給水タンクから水が水槽内に補給されるという繰り返しで水槽の水位を保つのである。【０００３】  そして給水タンクが空になるとタンクを加湿器本体から取り外して上下ひっくり返して滴下口を上にしてから、この滴下口に備えたキャップを外して水を給水タンク内に給水し、キャップを取り付けて再び給水タンクを密閉状態にして加湿器本体に装着するものであった。
【考案の開示】
【考案が解決しようとする課題】
【０００４】  上記従来技術の密閉構造の給水タンク方式は、給水タンクに給水する際に、いちいち給水タンクを取り外して上下ひっくり返し、さらにキャップを着脱をしなければならず面倒であった。【０００５】  超音波式霧化方式では振動子による最適な霧化発生量は水槽の水位によって決まる。ところが、キャップの締め付けが弱いと、そこが大気と連通し給水タンク内が密閉構造にならず、そのため水槽への過剰補給になり、水槽の水位が上昇し最適霧化量にはならず低効率の加湿になっていた。また最悪水槽からオーバーフローして室内を汚すことになる。【０００６】  本考案は、このような課題を解決し、給水タンク内に注入する給水口を、滴下口とは別に、給水タンクの上部に設けてタンクへの水の注入を容易にした加湿器を提供するものである。
【課題を解決するための手段】
【０００７】  本考案は、水槽及びこの水槽の水を蒸発させる加湿手段を備えた本体と、該本体に着脱自在に装着して前記水槽に水を補給する給水タンクと、該給水タンクからの水の補給を制御して水槽内の水位を一定に保持する水位制御手段と、前記加湿手段により蒸発された蒸気を外気に噴出させる電動ファンと、を含む加湿器において、給水タンクの上部に外気と漣通した給水口を備え、一方水位制御手段は、前記給水タンクの滴下口を開閉する弁体と、該弁体が常時滴下口を閉じる方向に付勢されたスプリングと、前記弁体から垂下され、滴下口より下部で揺動自在に枢支された弁桿と、一端に浮き部、他端に前記弁桿を移動させる押圧棒を備え、中央部を枢支して水槽内の水位の変動によって枢支部を中心に揺動するフロートと、から構成し、該フロートの揺動に連動して押圧棒が揺動され、該押圧棒の揺動により前記弁桿を介して弁体を移動して前記滴下口を開閉することを特徴とする。【０００８】  また本考案は、押圧棒を弁桿の下端面の端縁部に対峙させ、水槽の水位下降時にフロートの枢支部を中心に円弧状に上動して弁桿を斜め下方から斜め上方に向かって押圧して、該弁桿を揺動させることにより弁体を移動させて滴下口を開口するようにしてことを特徴とする。
【考案の効果】
【０００９】  本考案の加湿器は、給水タンクの上部に外気と漣通した給水口を備えているので、給水タンクへの給水を容易に行うことが出来る。また本考案は、水槽への水位制御を請求項１に示すように工夫しているので、安定した水位を保持でき効率よい霧化を可能とする。【００１０】  さらに、請求項２に示すように、押圧棒を弁桿の下端面の端縁部に対峙させ、水槽の水位下降時にフロートの枢支部を中心に円弧状に上動して弁桿を斜め下方から斜め上方に向かって押圧して、該弁桿を揺動させることにより弁体を移動させて滴下口を開口するようにしてあるので、小さな力によって弁体を移動して滴下口を確実に開閉可能となる。従って、わずかな水位の変動によっても滴下口を開閉できるので、水槽の深さを浅くできる。換言すれば薄型の水槽が可能であるので、結果的にコンパクトな加湿器を提供できる。
【考案を実施するための最良の形態】
【００１１】  本考案の加湿器を、図１〜図６に基づいて説明する。図１は加湿器の縦断面図、図２は給水タンクの横断面図、図３は給水タンクを取り外した本体の上面図、図４は給水タンクの裏面部分に取り付けた給水キャップの一部を示す拡大平面図、図５は給水キャップを含む水位制御手段部分の拡大断面図、図６は滴下口が開いた状態を示す水位制御手段部分の拡大断面図である。【００１２】  本考案は、水槽１及びこの水槽１内の水を蒸発させる加湿手段２を備えた上面視ほぼ円形状の樹脂製本体３と、本体３に着脱自在に装着して水槽１に水を滴下して補給する上面視ほぼ円形状の樹脂製給水タンク４と、水槽内の水位を一定に保持する水位制御手段５と、加湿手段２により蒸発された蒸気を外気に噴出させる電動ファン６と、から構成されている。【００１３】  水槽１の一部に凹所７が設けられ、その凹所７の底部に加湿手段２を構成する超振動子２ａが装着されている。振動子２ａの超音波振動により水槽内の水が霧化される超音波霧化方式を採用している。本体３の上面には電動ファン６からの送風が給水タンク４内に導入する送風口８が開けられている。【００１４】  前記給水タンク４は、透明又は半透明の下体４１と、この下体４１に接着剤または熱溶着により固着された透明又は半透明の上体４２と、から構成してある。そして給水タンク４内には、上体４２側に設けた仕切り壁９により水貯留室４ａと、蒸気と送風とを混合する混合室４ｂ、及び混合した蒸気を外気に噴出するための蒸気通路４ｃと、を形成してある。（図１、図２参照）【００１５】  水貯留室４ａは、上体４２に外気と漣通した給水口１０を備え、下体４１には図５に示す連通窓１５を設け、この連通窓１５の開口端部の外周に螺状が刻設され、この螺状に着脱自在に螺着される樹脂製キャップ１６により連通窓１５が塞がれるようになっている。キャップ１６は、中央部に円筒１７が設けられ、その円筒１７の上部開口部を滴下口１８にしてある。円筒１７の下部には、図４や図５に示すように連通口１９が設けられており、連通口１９の内側には連結片２０を介して支持リング２１が設けられている。【００１６】  滴下口１８の周縁は傾斜した弁座に形成し、この弁座に対向して設けた弁体２２により滴下口１８を開閉するようになっている。この弁体２２の弁座に接触する表面にはゴムパッキング（図示せず）が設けられている。弁体２２から垂下した弁桿２３を支持リング２１に貫通させて支持リング２１を中心に揺動自在且つ上下動自在にしてある。弁桿２３の下端面には大径な作動板２４を備え、この作動板２４と支持リング２１との間にコイルスプリング２５を介挿してある。このコイルスプリング２５は、弁体２２が常時弁座上に密接して滴下口１８を閉じる方向に作用する。【００１７】  キャップ１６の内面には支持棒２６が複数個設けられ、この支持棒２６によって珊瑚を加工して作られた浄化用フィルターユニット２７が着脱自在に取り付けられている。【００１８】  混合室４ｂの底部（下体４１）には水槽１に連通した蒸気導入口１１及び水槽１の送風口８に対向して送風吐出口２８が設けられている。蒸気導入口１１は筒状体から構成され、下端開口が水槽１の蒸気を発生する凹所７の上方に位置��、上端開口は混合室４ｂ内に突出させてある。【００１９】  蒸気通路４ｃの出口は蒸気を外気に噴出させる噴出口１２が設けられている。また蒸気通路４ｃには仕切壁１３を設けて蒸気を蛇行させて外気への噴出スピードを抑制してある。そして蒸気が蛇行する間に結露する水滴を水槽１内に戻すための小孔１４が設けられている。【００２０】  水位制御手段５を構成するフロート２９が、その中央部を水槽１内底部に設けた支持片３０に揺動自在に枢支３０ａされている。このフロート２９は、一端に浮き部２９ａ、他端に、弁桿２３の作動板２４の端縁部に対峙させた押圧棒２９ｂを備えている。従って押圧棒２９ｂは、水槽１の水位下降時にフロートの枢支部３０ａを中心に円弧状に上動して弁桿２３を斜め下方から斜め上方に押圧して、該弁桿２３を揺動させることにより弁体２２を移動させて滴下口１８を開口するようにしてある。（図６参照）【００２１】  混合室４ｂに対向する本体３の上面部に発光素子（以下ＬＥＤという）３１が混合室４ｂに向かって照射されるように複数個取り付けられている。混合室４ｂを構成する給水タンク４は透明又は半透明であるので、ＬＥＤ３１からの光は混合室４ｂ内に入射されて、蒸気を照明する。蒸気は送風によって移動しているので、蒸気は光によって浮かび上がり、ゆらゆらと揺れるので、視覚的な美的印象を与えることができる。特に赤色、青色、白色等のＬＥＤ３１を装着するか又は、電気回路で色変調を行えば、より雰囲気の良い加湿器を提供できる。【００２２】  次に、本考案の加湿器の動作について説明する。
本体３の水槽１に所定水位状態で水が貯留していると、フロート２９の浮き部２９ａが水位によって上昇する。その結果押圧棒２９ｂは下位位置にあるので、弁桿２３の作動板２４を押し上げることはない。（図５参照）【００２３】  一方、水槽１に所定水量があると、図示しないが磁石浮き子とリードスイッチの働きにより電気回路が作動して振動子２ａと電動ファン６が作動する。そして振動子２ａにより発生した蒸気（図１の白矢印）は蒸気導入口１１を通って混合室４ｂには入り、また電動ファン６からの送風（図１の黒矢印）は送風口８及び送風吐出口２８を通して混合室４ｂに入り、その後蒸気は蒸気通路４ｃを経て噴出口１２から外気に噴出される。【００２４】  また、ＬＥＤ３１にも通電されるので、ＬＥＤ３１の発光により混合室４ｂ内の蒸気が照明されて室内装飾品としての機能も発揮する。【００２５】  水槽１内の水は、振動子２ａにより霧化されることにより水位が下がってフロート２９の浮き部２９ａが水位に連動して下がる。するとフロート２９は枢支部３０ａを中心に揺動して押圧棒２９ｂを上動させる。この押圧棒２９ｂの上動によって弁桿２３の作動板２４を押し上げ、弁体２２を移動させて滴下口１８を開口、し給水タンク４内の水を水槽に補給する。【００２６】  実際には、図６に示すように押圧棒２９ｂは枢支部３０ａを中心に円弧状に上動して作動板２４を斜め下方から斜め上方に押圧するので、弁桿２３が支持リング２１を中心に揺動することにより弁体２２を移動させて滴下口１８を開口する。滴下口１８から給水を受けて水槽１内の水が所定水位になればフロート２９の浮き部２９ａが上動して図５に示すように押圧棒２９ｂが下動して滴下口１８を閉じる。【００２７】  給水タンク４内の水がなくなれば、給水タンクの給水口１０から、やかん等に入れた水を注入する。または、給水タンク４を本体から外して水道の蛇口から直接注入しても良い。【００２８】  上記実施形態は、本考案の一例に過ぎず、本考案の趣旨の範囲で適宜変形や修正を加えても、本願の実用新案登録請求の範囲に包含されることは明らかである。たとえば、給水タンクを不透明樹脂で構成しても良く、また加湿手段は電気ヒータを用いてもよい。さらに蒸気通路４ｃ内の仕切壁１３を取り去り、そこにステンレス製の円筒を多重にして装着し多重円筒内を蒸気が通過するように構成しても良い。
【図面の簡単な説明】
【００２９】
【図１】本考案加湿器の縦断面図。
【図２】図１の加湿器の給水タンク部分の横断面図。
【図３】同じく給水タンクを取り外した本体の上面図。
【図４】同じく給水タンクの裏面部分に取り付けた給水キャップの一部を示す拡大平面図。
【図５】同じく給水キャップを含む水位制御手段部分の拡大断面図。
【図６】同じく水位制御手段の滴下口が開いた状態を示す水位制御手段部分の拡大断面図である。
【符号の説明】
【００３０】    １      水槽
２      加湿手段
３      本体
４      給水タンク
４ａ    水貯留室
４ｂ    混合室
４ｃ    蒸気通路
５      水位制御手段
６      電動ファン
８      送風口
１０    給水口
１１    蒸気導入口
１２    噴出口
１８    滴下口
２１    支持リング
２２    弁体
２３    弁桿
２４    作動板
２５    コイルスプリング
２８    送風吐出口
２９    フロート
２９ａ  浮き部
２９ｂ  押圧棒
【図１】
0003110210.tif 000003
【図２】
0003110210.tif 000004
【図３】
0003110210.tif 000005
【図４】
0003110210.tif 000006
【図５】
0003110210.tif 000007
【図６】
0003110210.tif 000008